(57)【要約】【課題】  使用する弦の太さが変わった場合でも、ギター本体に新たな加工を加えること無く、容易に再調節することが可能なナット及びナット補助具を提供する。【構成】  フレット弦楽器用ナットの形状を第６弦側が巾広に、第１弦側が巾狭にくさび形に形成し、ナットの下部にナット取り付け箇所に取り付けるために取り付け部が設けられる。また、フレット弦楽器用ナット補助具として、弦と指板との間隔よりも少し小さい直径を有し、隣接する２本の弦が載る長さとする。【採用図】  図１１【特許請求の範囲】
【請求項１】
第６弦側が巾広かつ第１弦側が巾狭に形成されたナット、前記ナットの下にフレット弦楽器本体のナット取り付け箇所に取り付けるために取り付け部が設けられた、フレット弦楽器用ナット。
【請求項２】
第６弦側が巾広かつ第１弦側が巾狭に形成され、ナットと第１フレットの間のナットに近い位置に取り付けられる、フレット弦楽器用ナット補助具。
【発明の詳細な説明】
【技術分野】
【０００１】
本出願は、ギター等のフレットを有する弦楽器で用いられるナット及びナット補助具に関する。
【背景技術】
【０００２】
弦楽器は弦の長さを変化させることによって弦の振動数を変化させている。弦楽器には弦をはじいて振動させる撥弦楽器と弦を摩擦して振動させる擦弦楽器があるが、擦弦楽器であるバイオリン属の弦楽器を除く他の殆どの撥弦楽器と擦弦楽器とは弦を指で押さえるための指板の上に特定の間隔に埋めこまれた金属製のフレットを設け、このフレットによって振動する弦の長さを変えることによって音程を変える。このような弦楽器の代表例として、ギターやマンドリンなどがある。
【０００３】
図１は、フレット弦楽器の代表例の一つの、ギターの斜視図である。もっと詳しく言えば、金属製の弦を用いたフォークギター（別名アコースティックギターとも呼ばれる）の斜視図である。
表板１、裏板２、側板３で中空状に形成された共鳴胴４と共鳴胴４に一端を固定されたネック５を有する。ネック５のもう一方の端には、弦６に張力をもたせ弦を巻き上げるギヤチューナ７が複数個取り付けられている。ギターの場合、共鳴胴４を形成する表板１に弦のもう一方の端を固定するためのブリッジ８が取り付けされており、弦６の一端は、ブリッジ８に開けられた穴９に固定されている。
【０００４】
ネック５には金属製のフレット１０が特定の間隔で埋めこまれた指板１１が取り付けられている。指板１１の一方の端には、複数の弦６を所定の間隔に揃え、かつ、フレット１０の上面より僅かに弦を浮かせて支持するための溝１２が設けられたナット１３が固定されている。ブリッジ８には、弦６のもう一方の終端近くで、弦６をフレット１０の上面より僅かに浮かせて支持するためのサドル１４が固定されている。
【０００５】
図２にフォークギターにおける弦のネックとサドルとの関係を示す。
ギターには６本の弦が使用されており、高音の弦から順番に、第１弦６−１，第２弦６−２，第３弦６−３，第４弦６−４，第５弦６−５，第６弦６−６と呼ばれている。通常のフォークギターでは、第１弦６−１には太さが０.３０mm（０.０１２”）の、第２弦６−２には太さが０.４１mm（０.０１６”）のピアノ線が各々使用され、第３弦６−３には０.０２５”（０.６４mm）の、第４弦６−４には０.０３２”（０.８１mm）の、第５弦６−５には０.０４２”（１.０７mm）の、第６弦６−６には０.０５４”（１.３７mm）の、巻線が各々使用される。なお、第３弦６−３，第４弦６−４，第５弦６−５及び第６弦６−６にはピアノ線に青銅（ブロンズ）を巻いたブロンズ巻線が各々使用される。
【０００６】
弦の途中を押さえ、振動する弦長を短くすることによって、所定の音階を得る。ナット１３とサドル１４で支持された弦は開放弦と呼ばれ、その弦によって得られる最低音となる。ギターのようなフレット楽器では、フレット１０はナット１３側から、音の高さが半音ずつ高くなる位置に複数本、通常は２０本、配置されている。
各々のフレットは、ナット１３に近い方から順番に、第１フレット１０−１,第２フレット１０−２，第３フレット１０−３・・・と呼ばれ、開放弦より１オクターブ高い音のための第１２フレット１０−１２は、ナット１３とサドル１４の中間の位置に置かれている。
【０００７】
複数個あるフレット１０の間を、指などで弦６を指板１１に押し付けることによって、弦６がフレット１０に押し付けられ、弦６の振動する部分の長さが、押し付けられたフレット１０からサドル１４までの長さに変わることによって弦６の振動数が変わる。
【０００８】
ここで、フレット弦楽器の弦の音の高さ（弦の固有振動数）について要約しておく。
弦の固有振動数ｆは、弦長（ｌ）に反比例し、張力（Ｓ）の平方根に比例し、弦の単位長重量（γ）の平方根に反比例し、次の式で表現される。
ｆ＝（１／２ｌ）・（Ｓ・ｇ／γ）１／２
ここで、ｌ：弦長，Ｓ：張力，γ：弦単位長重量，ｇ：重力加速度である。
すなわち、弦の張力（Ｓ）が大きくなるとその平方根に比例して音は高くなり、単位長重量（γ）の平方根が大きい太い弦の音は低くなり、弦長（ｌ）が変わると、その長さに反比例して音の高さが変わる。
【０００９】
平均率音階の場合、各半音の間の振動数の比は２の１２乗根（≒１.０５９４６又はその逆数０.９４３８８）である。したがって、第１フレット１０−１は、ナット−サドル間長Ｌの０.９４３８８の位置に設置される。同様に、第２フレット１０−２の設置位置は、第１フレット１０−１の設置位置よりさらに０.９４３８８だけ弦の長さが短くなる位置に設置される。この計算を繰り返して、第１２番目の第１２フレット１０−２の設置位置は、開放弦の長さの０.９４３８８１２＝０.５の位置、すなわち、開放弦の長さの半分の位置に置かれる。
【００１０】
表１に、最も高い音の弦である第１弦６−１と、最も低い音の弦である第６弦６−６について発音される音の振動数と音名を示す。
【００１１】
【表１】
2005189690.tif 000002
【００１２】
剛性が大きい金属製の弦の場合、とりわけ、弦が太い場合及び振動する弦の長さが短い場合には、弦の固定端部は振動し難いため、弦長が短くなった状態で振動し音程が高くなる。
例えば、第１２フレット１０−１２は開放弦の長さの０.５の位置であり、逆にいえば、サドル１４はナット１３と第１２フレット１０−１２の距離の２倍の位置にあれば良いのだが、そこにサドル１４を置くと第１１フレット１０−１１と第１２フレット１０−１２の間の弦を押さえた場合に、得られる音は目的とする音よりも高くなる。
【００１３】
そのため、弦としてピアノ線を使用するフォークギターの場合には、図２に示すように、高音側の細い第１弦６−１から低音側の太い第６弦６−６にかけて、サドル１４の位置をナット１３から遠ざけ、サドル１４がナット１３と並行ではなく若干斜めに配置される。
具体例を挙げると、フレット１０の位置を数学的に割り出す時に用いた弦長が６４８mmのフォークギターの場合、中心線上の弦長が約２.８mm、サドルの両端が５.６mm程度長くなる位置にサドル１４が設置されている。
【００１４】
図３により、指板，ナット，フレット及び弦の関係を説明する。
この図はネック５を横から見た図であり、ネック５にはナット１３及びフレット１０−１，１０−２，１０−３・・・が所定の位置に配置され、ナット１３に形成された溝１２と図示しないサドルとの間に弦６が張設されている。
なお、ナット１３は開放弦の音程を決めるため、しばしばゼロフレットと呼ばれることがある。
【００１５】
弦を押さえるのに要する間隔が小さい方が演奏は楽であるため、弦とフレットの間隔は可能な限り小さくしてある。
弦の固定端であるナット１３付近における弦の振れ巾は小さいが、固定端であるナット及びサドル１４から遠い弦の中央部付近における弦の振れ巾は大きい。そのため、ナット１３から近い第１フレット１０−１と弦６との間隔は小さくされ、ナット１３から遠い第１２フレット１０−１２と弦６との間隔は大きくされている。
太い弦は細い弦よりもフレットに当たってビビリ音を発生し易いため、第６弦６−６とフレット１０との間隔は第１弦６−１よりも大きくされている。
この関係を表２に示す。
【００１６】
【表２】
2005189690.tif 000003
【００１７】
図４により、ギター演奏時の弦の状態を示す。
図４ａに示したように、第４フレット１０−4と第５フレット１０−５の間で指２２で弦６を指板１１に押し付けると、弦６は僅かに伸ばされた状態になる。そのため、弦の張力が若干増加する。弦の発する音の高さ（周波数）は、弦の張力の平方根に比例する。したがって、この図のような場合、第５フレット１０−５によって得られるべき開放弦から４度上の音のより僅かに高い音が得られる。
【００１８】
このような僅かな音程の狂いは、１オクターブを１２の半音に等間隔で分割する平均律音階を前提としたギターなどのフレット弦楽器では、聴感に影響しないとして無視されている。
【００１９】
通常、フレット１０は、上で説明したように、算出された位置に弦６の振動の固定端の一方であるナット１３に平行に設置されている。
図２に示したように金属製の弦を用いたフォークギターにおいては、弦６の振動の固定端のもう一方を形成しているサドル１４は、フレット１０に対して若干斜めに配置されている。
【００２０】
上述のように、第１２番目の第１２フレット１０−１２の設置される位置は、開放弦の長さの１／２の位置に置かれるので、サドル１４が置かれる位置は、ナット１３から第１２フレット１０−１２までの距離の２倍の位置で良いことになるが、サドル１４をそこに置くと、上述の現象のために、フレット１０を押さえて演奏した場合、希望する音よりも高い音が得られる。
【００２１】
そのため、高音側の第１弦６−１から第６弦６−６にかけて弦の太さが徐々に太くなるため、太い弦になるに従ってサドル１４の位置をナット１３から遠ざけ、弦長が長くなるように設置することが必要となり、その結果サドルは若干斜めに配置される。
【００２２】
例えば、フレット１０の位置を計算で得る時に用いた弦長である基準スケール長が６４８mmのフォークギターの場合、中心線上で弦長が約２.８mm程度長くなる位置にサドル１４が設置されている。
通常は、第１２番目の第１２フレット１０−１２を押さえて演奏した時の音程が、開放弦の音程より正しく１オクターブ高くなるような位置にサドル１４を設置している。
【００２３】
ところが、図４ｂに示したように、開放弦によって得られる音よりも半音高い音を得るためにナット１３と第１フレット１０−１の間で弦６を押さえた場合には、弦の張力Ｓの増加は大きい。そのため、第１フレットで得られる音は本来得られるべきで音よりも聴感上無視することができない高さになる。この弦の張力の増加は、剛性の大きい太い弦の場合にはより大きい。
【００２４】
このように、ナット１３と第１フレット１０−１の間で指２２により弦６を指板１１に強く押し付けると、弦６は大きく伸ばされて、弦の張力が大きく増加する。そのために、第１フレット１０−１の位置により計算により求められた音の高さより大幅に高い音程となってしまう。
【００２５】
この現象は、例えばブロンズ巻線の一番太い０.０５４”（１.３７ｍｍ）の第６弦６−６の場合では、期待する正しい音程に対して３０ないし４０セント（１セントは、平均律の半音を１００等分した音程）高い音程となってしまう。
【００２６】
例えば、ガット弦を使用しているクラシックギターの場合でも、ナットから第１フレットまでの距離は計算された値より、１.１〜１.７％短く補正されていた。
現在の金属弦を使用するフォークギターやエレキギターにおいては、弦の張力が大きいため、補正の必要性は大きい。
【００２７】
一例として、特表２００２−５０８０８７号公報（特許文献３）（米国特許第５,９５５,６８９号明細書参照），米国特許５,４０４,７８３号明細書（特許文献５）及び米国特許５,８１４,７４５号明細書（特許文献６）にナットと第１のフレットとの距離を標準値よりも１％から１０％短い範囲にすることが示されている。
さらに、特表２００２−５０８０８７号公報（特許文献３）（米国特許５,９５５,６８９号明細書参照）には具体的に、ナイロン弦の場合に３.３％、スチール弦の場合に１.４％、電気楽器の場合に２.１％短縮することが示されている。
【００２８】
また、既に述べたように通常のフォークギターでは第１弦６−１と第２弦６−２には、ピアノ線が使用され、第３弦６−３，第４弦６−４，第５弦６−５，第６弦６−６にはピアノ線に青銅（ブロンズ）が巻かれたブロンズ巻線が使用されいる。
なお、エレキギターやエレキベースなども含めて、金属弦としては、様々な太さ（ゲージと称される）の弦が用いられている。
【００２９】
弦の材質・構造や、太さが異なる場合、各フレットで適正な音程を確保するには、サドル位置の補正、及び、弦のもう一方の端であるナット位置の補正は、それぞれの弦によってその最適量が変わる。
【００３０】
このような場合に於いて、一例として、ナット位置を弦毎に補正することが米国特許第６,１５６,９６２号明細書（特許文献２）及び米国特許第６,４３３,２６４号明細書（特許文献１）に示されている。
この現象を極力小さな値とするために、ナットの位置を第１フレットに近づけて配置するか、あるいは、ナットからの位置を第１フレットまでの距離を弦に対応して、段階的に設定したナットを用いることが行われている。
【００３１】
米国特許第６,４３３,２６４号明細書（特許文献１）には図５に示した形状のナット１５が例示されている。ナット溝１６に固着されたナット１５は各弦を支持する位置が弦毎に変化しており、最も低い音の第６弦６−６の支持位置１７−６が第１フレット１０−１から最も離れた位置になるようにナット１５の支持溝１２−６が形成され、最も高い音の第１弦６−１の支持位置１７−１が第１フレット１０−１から最も近い位置になるようにナット１５の支持溝１２−１が形成されている。
【００３２】
このような形状により第６弦６−６におけるナット支持位置１７−６と第１フレット１０−１との間隔が第１弦６−１におけるナット支持位置１７−１と第１フレット１０−１との間隔よりも小さくなっている。
しかしながら、このナット１５は構造が複雑であるため加工に手間を有する。
【００３３】
米国特許第６,１５６,９６２号明細書（特許文献２）に図６に示す形状のナットが示されている。ナット溝１９に固着されたナット１８は第６弦６−６側が巾広に、第１弦６−１側が巾狭に、すなわちくさび形に形成され、上面に弦を支持する支持溝１２が形成されている。
【００３４】
このような形状により第６弦６−６におけるナット１８と第１フレット１０−１との間隔が第１弦６−１におけるナット１８と第１フレット１０−１との間隔よりも小さくなっている。
しかしながら、このナット１８の取り付け面は長方形ではないため、長方形状を有する通常のナットに代えてこのナット１８を取り付けることができない。
また、使用する弦の太さが変わったことにより補正量が異なった場合に他の形状のナットに取り替えることができない。
【００３５】
【特許文献１】米国特許明細書６,４３３,２６４号明細書
【特許文献２】米国特許明細書６,１５６,９６２号明細書
【特許文献３】特表２００２−５０８０８７号公報
【特許文献４】米国特許明細書第５,９５５,６８９号明細書
【特許文献５】米国特許５,４０４,７８３号明細書
【特許文献６】米国特許５,８１４,７４５号明細書
【発明の開示】
【発明が解決しようとする課題】
【００３６】
本出願においては、使用する弦の太さが変わった場合でも、ギター本体に新たな加工を加えること無く、容易に再調節することが可能なナット及びナット補助具を提供する。
【００３７】
さらに、本出願においては使用する弦の太さが変わった場合でも、第１フレットによって得られる音程の狂いが小さいギターを得ることができるナット及びナット補助具を提供する。
【実施例】
【００３８】
以下、実施例を説明する。
初めに示す実施例は、一体型のナット及びナット補助具についてのものである。
図７に示すナット２１及びナット２４は図６に示した従来のナットの改良型である。
このナット２１は図６のナット１８の下部に指板１１あるいはネック５のナット取り付け箇所２５に取り付けるために従来のナットの取り付け部と同じ形状の取り付け部２３が設けられており、ナット２１の上面は第６弦６−６側が巾広に、第１弦６−１側が巾狭に、すなわちくさび形に形成され、上面に弦を支持する支持溝１２が形成されている。
また、その具体的形状は（ａ）に示すように、単に取り付け部２３を設けたナット２１と、（ｂ）に示すように、さらに延長部２６を設けたナット２４がある。
さらに、ナット２１とナット２４の上面の巾を細く一定に形成してもよい。
【００３９】
（ｃ）に示したのは（ｂ）に示したナット２４をギターに装着した形態である。
指板１１の端部２７に従来のナットに代えてナット２４が接着により装着されている。
この実施例に示すナット２１及びナット２４はその取り付け部２３が従来のナットの取り付け部と同じ形状であるため、従来のナットと容易に交換することができる。
【００４０】
（ａ）に示したナット２１は形状が簡素であり、（ｂ）に示したナット２４はギターに取り付けた時に安定性があるという特長がある。
このナット２１は従来のナットと交換することが容易であり、形状も単純であるから作成することが容易である。
【００４１】
このような形状により第６弦６−６におけるナット１８と第１フレット１０−１との間隔が第１弦６−１におけるナット１８と第１フレット１０−１との間隔よりも小さくなっている。
【００４２】
図８により、一体型のナット補助具を説明する。
（ａ）に示すナット補助具３１は図６に示したナットの背を低くすることにより指板の上で使用できるようにしたものである。
（ｂ）に示すナット補助具３２は上面３３の巾が細く一定になっている。
このナット補助具３２は、角柱の両面を斜めに削り落とすことに形成できる。
通常のフォークギターの指板は、弦を押さえやすくするために僅かな曲率が付けられているので、上面３３にその曲率に合うカーブを付けても良い。
【００４３】
ナット補助具３１をギターに装着した形態を（ａ）に示す。
指板１１に装着されたナット１３に隣接して、ナット補助具３１が装着されている。
このナット補助具３１はナットを交換することなく単に載置するだけでよいので、条件が変わった場合でも対応が容易である。
【００４４】
図９にナット補助具の別の例を示す。
（ａ）に示すナット補助具３４は（ｂ）に示す円錐台３５を高さが適切になるように軸方向に分割した形状を有している。
（ｂ）に示したナット補助具３４をギターに装着した形態を（ａ）に示す。
指板１１に装着されたナット１３に隣接して、ナット補助具３４が装着されている。
【００４５】
この形状は円錐台以外に三角錐台あるいは四角錐台等の角錐台を軸方向に分割した形状であることも可能である。
通常のフォークギターの指板は、弦を押さえやすくするために僅かな曲率が付けられているので、円錐台あるいは角錐台の形状をその曲率に合わせることもできる。
【００４６】
このナット補助具３４は製造が簡単であるだけでなく、同時に複数個を製造することができる。
【００４７】
図１０に取り付け位置を調節するようにしたナットを示す。
このナット３６は従来のナットとほぼ同様な構造であるが、ネジ止め用の長孔３７を第１弦６−１側と第６弦６−６側の両端に有しており、この長孔をネジ３８で止める位置によりナット３６を第１フレット１０−１に対して最適な角度で斜めに装着する。
【００４８】
図１１にギターに分割されたナット補助具の例を示す。
この例では（ａ）及び（ｂ）に示すように、ナット１３の近くの所定の位置に３本の金属製のナット補助具４１−１，４１−２，４１−３が配置されている。従来のナット１３は指板１１の一方の端には複数の弦６を所定の間隔に揃え、フレット１０の上面より僅かに弦を浮かせて支持するための溝１２が設けられていたが、この例の場合溝１２は複数の弦６を所定の間隔に揃える機能のみを有しており、弦６を浮かせて支持するための機能は有しておらず、弦をフレット１０の上面より僅かに弦を浮かせて支持する機能はナット補助具４１−１，４１−２，４１−３が有している。
【００４９】
ナット補助具４１−１，４１−２，４１−３の長さは、隣接する２本の弦６が載る長さである。したがって、６弦のフォークギターの場合には、３本のナット補助具４１−１，４１−２，４１−３が使用される。
ナット補助具４１−１，４１−２，４１−３の直径は、弦６をフレット１０の上面より僅かに弦を浮かせて支持するため、フレット１０の高さより僅かに大きな寸法である。
【００５０】
通常のフォークギターの場合、弦６とフレット１０の間隔は、第１弦６−１側が小さく、第６弦６−６側を大きくすることが一般的に行われている。
したがって、ナット補助具４１の直径は全てが同じではなく、使用する弦によって最適な値に設定する。
ナット補助具４１−１，４１−２，４１−３は円柱形状以外に、一方の端がやや太くなる円錐形状でも良い。
【００５１】
弦６をフレット１０の上面より僅かに弦を浮かせて支持するため、ナット補助具４１−１，４１−２，４１−３は指板１１の上で安定して支持されるように（ｃ）に示す平坦部４２を持った半丸棒４３とする。
【００５２】
図１２により、図１１の例における調律方法を説明する。この図は、ナット１３とナット補助具４１−１，４１−２，４１−３に弦６を張った状態の断面図を示している。従来例では、前述のように、第１フレット１０−１の設置される位置は、開放弦の長さの０.９４３８８倍の位置に設置されていたが、本例の場合には開放弦の一方の端を支持する部品がナット１３ではなく、ナット補助具４１−１，４１−２，４１−３であるため、従来のナット１３から第１フレット１０−１までの距離より、ナット補助具４１−１，４１−２，４１−３から第１フレット１０−１までの距離を短い値にされている。
【００５３】
指２２を離し、開放弦を撥く。この時の音程が、ナット補助具４１と第１フレット１０−１の間を押さえた時の音程より正確に半音だけ低くなる位置に、ナット補助具４１を移動する。
【００５４】
以上の調節を、第１弦６−１から第６弦６−６について繰り返す。
第１弦６−１と第２弦６−２にはピアノ線が使用され、第２弦６−２の方が第１弦６−１より僅かに太い弦が用いられているので、ナット補助具４１−１は僅かに傾いた状態に調節される。
【００５５】
指２２により弦６がナット補助具４１と第１フレット１０−１の間で押さえられることにより、第１フレット１０−１によって規定される音程が発音される。従来例でも述べたように、弦を押さえた場合、弦の張力は僅かに増加するが、本実施例の場合は、ナット補助具４１と第１フレット１０−１の間を押さえた状態で、第１フレット１０−１での音程が所定の音程になるように弦６の張力を調整する。これにより、第１フレット１０−１での音は常に正しい音程が得られる。
【００５６】
ナット補助具４１は弦６の圧力によって指板１１の上でその位置が固定されている。弦６に所定の張力がある状態では、ナット補助具４１の位置がずれてしまうことは無いが、弦６の張力を緩めた場合や弦６を外した場合には、その位置がずれてしまう。その場合は、上記の一連の調整を行った後に、接着剤などによって固定しても良い。
【００５７】
図１３に示したように、３本のナット補助具４１−１，４１−２，４１−３を自在に曲げることの可能な軟鋼線４４で連結してもよい。このようにすることによって、弦を外して交換する場合においても、一度設定されたナット補助具４１−１，４１−２，４１−３の位置関係はそのまま維持できるため、再調節が不要でる。また、３本のナット補助具４１−１，４１−２，４１−３は使用する弦の太さが変わって、その位置の再調節が必要になる場合においても、軟鋼線４４を曲げて容易に再調節することが可能である。
【００５８】
また、軟鋼線４４に代えて図１４に示すように、連結部４５を持つ薄板４６としてもよい。
【００５９】
図１５に示すのは、図１４で示した連結部４５を持つ薄板４６で連結された３本のナット補助具４１の連結部４５の両端にフック４７を設け、フック４７をナット１３に嵌めこんで、固定できるようにしたものである。
【００６０】
このフック４７に代えて図１６に示したように連結部材４５の両端に埋め込み部材４８を形成、この埋め込み部材４８をナット１３に埋め込んで接着等の手段により固着することも可能である。なお、この図では埋め込み部材４８の前端が屈曲しているが、ナット１３がプラスチック等の成形加工可能な材料でない材料、例えば動物の骨、である場合には、前端は屈曲されない。
【００６１】
図１７に示す例では、ナット補助具４１に長孔４９が形成された薄板５０が固着されており、長孔４９でネジ５１により位置が調節されて固定される。
使用する弦の太さが変わって、その位置の再調節が必要になる場合には、長孔４９を利用してネジ５１によりナット補助具４１の位置を再調節する。
【００６２】
図１８に示すナット補助具４１には、長孔５２が形成された固定片５３が設けられた短冊片５４が固着されている。ナット補助具４１の位置の調節は、図１７に示された場合と同様に行なわれる。
【００６３】
図１９に示すのは、ナット補助具４１に帯状片５５，５６が固着され、帯状片５５，５６には固定部５７が設けられ、固定部５７には、穴が開けられている。
このように構成することによって、全ての弦を外した場合においても、一度設定されたナット補助具４１の位置は、そのまま維持できるため、再調節が不要となる。
【００６４】
図１９に示すフォークギターの場合、弦の張力でネック５に反りが生じるため、ネック５の中に端部をネジ構造を有し、そのネジを回転させることによって曲げる事の可能なトラスロッドと称される金属棒が埋め込まれている。トラスロッドは、ナット１３のすぐ近傍にそのネジ部が現れるように配置されていて、通常はロッドカバー５８によってトラスロッドのネジ部が覆われている。ロッドカバー５８は、止めネジ５９及び６０によって固定されている。
この例の帯状片５５の固定部５７は、ロッドカバー５８を固定する止めネジ５９及び６０によってネック５に固定される。
【００６５】
図２０及び図２１により、従来のナットに代えて使用するナットを説明する。
図２０に示すナット６１は、弦毎に別体で構成されたシングルストリングナットとされている。シングルストリングナット６１には長孔６２が形成されており、止めネジ６３によってネック５のナット取り付け部６４に固着される。
【００６６】
図２１に示すナットは、２本の弦が載置されるデュアルストリングナット６５であり、基部に形成された長孔６６を止めネジ６７によってネック５のナット取り付け部６４に固着される。
図２０と図２１に示されたシングルナット及びデュアルストリングナットナット形状は相互に変更可能であることは、いうまでもない。
【００６７】
これまでに図７，図１０，図２０及び図２１に示したフレット弦楽器用ナット並びに図８，図９，図１１，図１３，図１４，図１５，図１６，図１７，図１８及び図１９に示したフレット弦楽器用ナット補助具は、全ての弦が載置されるもの、２本の弦が載置されるものあるいは１本の弦が載置されるものであるが、その形態はこれらに限ることなく、載置される弦の数の組合せは任意に設定できることは言うまでもない。
【００６８】
また、これまでに示した実施例は既存のナットの交換部品あるいは既存のナットに付加して用いる補助具であるが、この他にナットとしてあるいはナットに附属する補助具として当初からフレット弦楽器に取り付けるようにすることもできる。
【産業上の利用可能性】
【００６９】
以上、フォークギターを代表例として本発明の実施例を述べたが、本発明は、ナットとサドルで弦を支持し、弦の音程をフレットによって決めるフォークギター以外のギター，マンドリン，エレキギター，アイリッシュブズーキー，バンジョー、さらにはチターなどにも適用可能である。
【図面の簡単な説明】
【００７０】
【図１】フォークギターの斜視図。
【図２】フォークギターの弦の説明図。
【図３】ギターのナットとフレットの関係の説明図。
【図４】従来のギターの演奏時の説明図。
【図５】従来の改良されたナットの説明図。
【図６】従来の改良された他のナットの説明図。
【図７】ナットの第１の実施例の説明図。
【図８】ナット補助具の第１の実施例の説明図。
【図９】ナット補助具の第２の実施例の説明図。
【図１０】ナットの第２の実施例の説明図。
【図１１】ナット補助具の第３の実施例の説明図。
【図１２】ナット補助具使用状況の説明図。
【図１３】ナット補助具の第４の実施例の説明図。
【図１４】ナット補助具の第５の実施例の説明図。
【図１５】ナット補助具の第６の実施例の説明図。
【図１６】ナット補助具の第７の実施例の説明図。
【図１７】ナット補助具の第８の実施例の説明図。
【図１８】ナット補助具の第９の実施例の説明図。
【図１９】ナット補助具の第１０の実施例の説明図。
【図２０】ナットの第３の実施例の説明図。
【図２１】ナットの第４の実施例の説明図。
【符号の説明】
【００７１】
１  表板
２  裏板
３  側板
４  共鳴胴
５  ネック
６  弦
６−１  第１弦
６−２  第２弦
６−３  第３弦
６−４  第４弦
６−５  第５弦
６−６  第６弦
７  ギヤチューナ
８  ブリッジ
９  穴
１０  フレット
１０−１  第１フレット
１０−２  第２フレット
１０−３  第３フレット
１０−１１  第１１フレット
１０−１２  第１２フレット
１１  指板
１２  溝
１２−１  支持溝
１３，１５，１８，２１，２４，３６，６１  ナット
１４  サドル
１６，１９  ナット溝
１７−１  第１弦６−１の支持位置
１７−６  第６弦６−６の支持位置
２２  指
２３  取り付け部
２５  ナット取り付け箇所
２６  延長部
３１，３２，３４，４１，４１−１，４１−２，４１−３  ナット補助具
３３  上面
３５  円錐台
３７，４９，５２，６２，６６  長孔
３８，５１  ネジ
４２  平坦部
４３  半丸棒
４４  軟鋼線
４５  連結部
４６，５０  薄板
４７  フック
４８  埋め込み部材
５３  固定片
５４  短冊片
５５，５６  帯状片
５７  固定部
５８  ロッドカバー
５９，６０，６３，６７  止めネジ
６１  シングルストリングナット
６４  ナット取り付け部
６５  デュアルストリングナット
【図１】
2005189690.tif 000004
【図２】
2005189690.tif 000005
【図３】
2005189690.tif 000006
【図４】
2005189690.tif 000007
【図５】
2005189690.tif 000008
【図６】
2005189690.tif 000009
【図７】
2005189690.tif 000010
【図８】
2005189690.tif 000011
【図９】
2005189690.tif 000012
【図１０】
2005189690.tif 000013
【図１１】
2005189690.tif 000014
【図１２】
2005189690.tif 000015
【図１３】
2005189690.tif 000016
【図１４】
2005189690.tif 000017
【図１５】
2005189690.tif 000018
【図１６】
2005189690.tif 000019
【図１７】
2005189690.tif 000020
【図１８】
2005189690.tif 000021
【図１９】
2005189690.tif 000022
【図２０】
2005189690.tif 000023
【図２１】
2005189690.tif 000024